(57)【要約】【課題】容器と蓋とのバヨネット嵌合部において、Ｌ形溝内に係合される係合突起が成形によって倒れることがあった場合においても、Ｌ形溝内のクリック用突起を円滑に乗り越えられるようにして、使用者に負担をかけないようにすることである。【解決手段】容器１の係合突起５が嵌入係合するＬ形溝６が蓋側嵌合面４に形成されることにより、そのＬ形溝６と蓋側嵌合面４の下端との間のリブ状縁部１０が形成される。前記リブ状縁部１０を前記Ｌ形溝６の終端部に分離溝１３を設けることにより島状に分離して弾性変形し易くし、係合突起５がクリック用突起１２に乗り上げたとき、弾性変形して係合突起５の倒れを吸収するようにした。【選択図】  図１
2004307011.tif 000002
【特許請求の範囲】
【請求項１】
円形の開口を有する容器と、これに回転可能に嵌合した蓋との相互に対向した容器側嵌合面と蓋側嵌合面のいずれか一方の嵌合面に複数の係合突起、他方に各係合突起に係合する複数のＬ形溝をそれぞれ設け、該Ｌ形溝を一端が当該嵌合面の端部に開放した縦溝と、それに連続した周方向の横溝とにより形成するとともに、該横溝の内側面にクリック用突起を設け、前記縦溝の開放端から嵌入した係合突起が横溝に移行して前記クリック用突起を乗り越えて係合するようにした容器と蓋との嵌合構造において、前記Ｌ形溝と当該嵌合面の端部との間に残存したリブ状縁部に弾力付与手段を施したことを特徴とする容器と蓋との嵌合構造。
【請求項２】
前記の弾力付与手段として、前記Ｌ形溝の横溝の終端部と当該嵌合面の端部との間に前記係合突起の長さより幅の狭い分離溝を形成したことを特徴とする請求項１に記載の容器と蓋との嵌合構造。
【請求項３】
前記の弾力付与手段として、前記リブ状縁部の前記Ｌ形溝の溝底面からの立ち上り面に当該嵌合面の端部に達する貫通部を設け、その貫通部を前記クリック用突起を含む範囲にわたり設けたことを特徴とする請求項１に記載の容器と蓋との嵌合構造。
【請求項４】
前記の弾力付与手段として、前記リブ状縁部の表面に前記クリック用突起を含む範囲にわたる凹部を設けことを特徴とする請求項１に記載の容器と蓋との嵌合構造。
【発明の詳細な説明】
【０００１】
【発明の属する技術分野】
この発明は、食品保温容器における内容器と蓋との嵌合構造を代表的な例とする容器と蓋との嵌合構造に関するものである。
【０００２】
【従来の技術】
携帯用ランチジャー等の食品保温容器は、飯器、汁器等の内容器を保温性ある外容器に収納したものである。この場合の飯器として用いられる内容器と蓋の嵌合構造として、いわゆるバヨネット嵌合が用いられる（例えば、特許文献１参照）。そして、今日では前記特許文献１に示したものをさらに発展させたバヨネット嵌合構造をもったものが一般に用いられている。これを図８及び図９によって説明する。
【０００３】
図８は食品保温容器の内容器の例であり、この内容器は円形の開口を有する容器１の内周面、即ち容器側嵌合面２に蓋３の外周面に設けた蓋側嵌合面４を周方向に回転可能なように嵌合させるバヨネット嵌合構造をもっている。即ち、容器側嵌合面２に周方向に長い長方形の係合突起５が設けられ、その係合突起５が係合されるＬ形溝６が蓋側嵌合面４に設けられる。前記のＬ形溝６は、図９（ａ）に示すように、蓋３の高さ方向に形成され一端が蓋側嵌合面４の下端に開放された縦溝７と、その縦溝７の上端に連続して周方向に形成された横溝８とにより形成される。縦溝７及び横溝８、縦溝７から横溝８へ移る屈曲部分９の幅は、前記の係合突起５が余裕をもって移行できる幅に形成される。また、縦溝７の長さは係合突起５の厚さ程度の長さであり、横溝８の長さは該突起５の周方向長さの数倍に設定される。上記の横溝８の終端部は閉塞されている。前記のＬ形溝６と蓋側嵌合面４の下端との間にリブ状縁部１０が残存する。リブ状縁部１０の先端部はテーパー状に形成され、突起５が円滑にＬ形溝６に嵌入できるようになっている。
【０００４】
蓋３の蓋側嵌合面４は蓋３の外周面から段差部１１の幅だけ小径に形成され、その段差部１１が容器１の上端面に対向する（図９（ｂ）参照）。同図に示すように、係合突起５が横溝８の下端側の内側面８ａに接触した状態において、前記の段差部１１と容器１の上端面との間に嵌合すき間Δｘが生じる。
【０００５】
前記横溝８の内側面８ａの長さ方向の中程においてリブ状縁部１０にクリック用突起１２が形成される。このクリック用突起１２は前記の嵌合すき間Δｘに微小な高さαを加えた高さ（Δｘ＋α）をもった半丸形に形成される。
【０００６】
以上述べたと同様の構成の係合突起５とＬ形溝６との組み合わせが周方向に等間隔で複数ヶ所に設けられ、バヨネット嵌合構造が構成される。前記蓋３を容器１に被せ、蓋３のＬ形溝６の縦溝７に容器１の係合突起５を嵌入させ、蓋３を回動させることによって係合突起５を相対的に横溝８内に移行させる。その係合突起５がクリック用突起１２に乗り上げて蓋３を容器１に対して引き寄せ、嵌合すき間Δｘをゼロにさせると（図９（ｃ）参照）、容器１の上端面が蓋３の段差部１１に当たるため、蓋３を回す使用者の手に抵抗が加わる。さらに力を加えると、リブ状縁部１０がαだけ弾性変形して（図９（ｃ）の二点鎖線参照）係合突起５がクリック用突起１２を乗り越え、使用者の手にクリック感を与えて係合を完了する。係合が完了すると前記の嵌合すき間Δｘが生じる。蓋３に開放方向の外力が作用した場合は係合突起５とクリック用突起１２が、前記の微小高さαの存在により相互に干渉するため、勝手に蓋３が外れることを阻止する。蓋３を外す場合は、多少の力を加えて係合突起５がクリック用突起１２を逆方向に乗り越えさせる。
【０００７】
【特許文献１】
実開昭５９−６４０２５号公報（第２図）
【０００８】
【発明が解決しようとする課題】
以上のようなバヨネット嵌合構造をもった容器１と蓋３とを合成樹脂の射出成形により製作した場合、係合突起５が容器１の底方向にβだけ倒れた状態（図９（ｄ）参照）に変形した状態に仕上がることがある。このような係合突起５を持った容器１と蓋３を嵌合すると、係合突起５が前記の横溝８の内側面８ａに接触した状態では、図９（ｄ）に示すように、蓋３の段差部１１と容器１の上端面との嵌合すき間がΔｘ−βとなり、前述の場合よりβだけ狭くなる。このため、係合突起５がクリック用突起１２を乗り越える際の抵抗が増大し、蓋３を回動する使用者に与える負担が大きくなる。
【０００９】
そこで、この発明は係合突起５に前記のような倒れが成形上生じることがあっても、蓋を負担なくスムーズに嵌合できるようにしたバヨネット嵌合構造を提供することを課題とする。
【００１０】
【課題を解決するための手段】
上記の課題を解決するために、この発明は、円形の開口を有する容器と、これに回転可能に嵌合した蓋との相互に対向した容器側嵌合面と蓋側嵌合面のいずれか一方の嵌合面に複数の係合突起、他方に各係合突起に係合する複数のＬ形溝をそれぞれ設け、該Ｌ形溝を一端が当該嵌合面の端部に開放した縦溝と、それに連続した周方向の横溝とにより形成するとともに、該横溝の内側面にクリック用突起を設け、前記縦溝の開放端から嵌入した係合突起が横溝に移行して前記クリック用突起を乗り越えて係合するようにした容器と蓋との嵌合構造において、前記Ｌ形溝と当該嵌合面の端部との間に残存したリブ状縁部に弾力付与手段を施した構成を採用したものである。
【００１１】
前記の弾力付与手段として、前記Ｌ形溝の横溝の終端部と当該嵌合面の端部との間に前記係合突起の長さより幅の狭い分離溝を形成した構成、前記リブ状縁部の前記Ｌ形溝の溝底面からの立ち上り面に当該嵌合面の端部に達する貫通部を設け、その貫通部を前記クリック用突起を含む範囲にわたり設けた構成、前記リブ状縁部の表面に前記クリック用突起を含む範囲にわたる凹部を設けた構成等を採ることができる。
【００１２】
リブ状縁部に上記のような弾性付与手段を施すと、倒れが生じた係合突起がクリック用突起を乗り越える際に、そのリブ状縁部を強制的に弾性変形させることができるので、使用者に負担を与えることなく、円滑に乗り越えさせることができる。
【００１３】
【発明の実施の形態】
以下、この発明の実施形態を添付図面に基づいて説明する。図１及び図２に示した第１の実施形態は、食品保温容器（後述の図５参照）の内容器（飯器）におけるバヨネット嵌合構造の例であり、基本的には前述の従来例と同様である。即ち、円形の開口を有する容器１の容器側嵌合面２に蓋３の蓋側嵌合面４を周方向に回転可能なように嵌合させるバヨネット嵌合構造であり、容器１の容器側嵌合面２に周方向に長い長方形の係合突起５が設けられ、その係合突起５が係合されるＬ形溝６が蓋側嵌合面４に設けられる。前記のＬ形溝６は、図２（ａ）に示すように、蓋３の高さ方向に形成され一端が蓋側嵌合面４の下端に開放された縦溝７と、その縦溝７の上端に連続して周方向に形成された横溝８とにより形成される。
【００１４】
縦溝７及び横溝８、縦溝７から横溝８へ移る屈曲部分９の幅は、前記の係合突起５が余裕をもって移行できる幅に形成される。また、縦溝７の長さは係合突起５の厚さ程度の長さであり、横溝８の長さは該突起５の周方向長さの数倍に設定される。
【００１５】
蓋３の蓋側嵌合面４は蓋３の外周面から段差部１１の分だけ小径に形成され、その段差部１１が容器１の上端面に対向する。図２（ｂ）に示すように、係合突起５が横溝８の下端側の内側面８ａに接触した状態において、前記の段差部１１と容器１の上端面との間に嵌合すき間Δｘが生じる。
【００１６】
前記横溝８の内側面８ａの長さ方向の中程においてはクリック用突起１２が形成される。このクリック用突起１２は前記の嵌合すき間Δｘに微小な高さαを加えた高さ（Δｘ＋α）をもった半丸形に形成される。
【００１７】
従来の場合と異なる構成は、前記の横溝８の終端部と蓋側嵌合面４の下端との間に分離溝１３を設けることにより、前記のＬ形溝６と当該分離溝１３とにより、リブ状縁部１０を他の蓋側嵌合面４から島状に分離したものである。この分離溝１３は係合突起５の長さより幅の狭く形成され、係合突起５が分離溝１３に落ち込まないようになっている。リブ状縁部１０の先端部はテーパー状に形成され、突起５が円滑にＬ形溝６に嵌入できるようになっている点は従来と同様である。
【００１８】
以上述べたと同様の構成のＬ形溝６と分離溝１３及び係合突起５の組み合わせが周方向に等間隔で複数ヶ所に設けられ、バヨネット嵌合構造が形成される。前記蓋３を容器１に被せ、蓋３のＬ形溝６の縦溝７に容器１の係合突起５を嵌入させ、蓋３を回動させることによって係合突起５を相対的に横溝８内に移行させる。その係合突起５がクリック用突起１２に乗り上げて蓋３を容器１に対して引き寄せ、嵌合すき間Δｘをゼロにさせると（図２（ｃ）参照）、容器１の上端面が蓋３の段差部１１に当たるため、蓋３を回す使用者の手に抵抗が加わる。さらに力を加えると、リブ状縁部１０がαだけ弾性変形して（図２（ｃ）の二点鎖線参照）係合突起５がクリック用突起１２を乗り越え、使用者の手にクリック感を与えて係合を完了する。係合が完了すると、前記の嵌合すき間Δｘが生じる。また、蓋３に開方向の外力が作用した場合は係合突起５とクリック用突起１２が相互に干渉するため、勝手に蓋３が外れることを阻止する。蓋３を外す場合は、多少の力を加えて係合突起５がクリック用突起１２を逆方向に乗り越えさせる。
【００１９】
また、係合突起５にβの倒れがある場合（図２（ｄ）参照）、リブ状縁部１０は分離溝１３により島状に分離されているため弾性変形し易くなっているため、そのリブ状縁部１０がα＋β分だけ弾性変形し、比較的容易にクリック用突起１２を乗り越えることができる。
【００２０】
図３（ａ）から（ｄ）は、第２の実施形態の場合であり、この場合はリブ状縁部１０に弾性を付与する手段として、リブ状縁部１０のＬ形溝６の溝底面からの立ち上り面１４に蓋側嵌合面４の下端部に達する貫通部１５を設け、その貫通部１５を前記クリック用突起１２の部分を含む範囲、即ちリブ状縁部１０のほぼ全長にわたり設けている。このような貫通部１５を設けると、リブ状縁部１０の厚みが薄くなるので弾性変形し易くなる。従って、係合突起５にβの倒れがある場合には、前述の場合と同様にリブ状縁部１０がα＋β分だけ弾性変形し、比較的容易にクリック用突起１２を乗り越えることができる。
【００２１】
図４（ａ）から（ｃ）は、第３の実施形態の場合であり、この場合はリブ状縁部１０に弾性を付与する手段として、リブ状縁部１０の表面１６にクリック用突起１２を含む範囲、即ちリブ状縁部１０のほぼ全長にわたり凹部１７を設けている。このような凹部１７を設けると、リブ状縁部１０が部分的に薄くなるので弾性変形し易くなり、前述の場合と同様に、係合突起５が比較的容易にクリック用突起１２を乗り越えることができる。
【００２２】
図５は、前記各実施形態の容器１と蓋３とからなるものを、飯器１８として使用した食品保温容器の全体構造を示す。この食品保温容器は、容器本体が真空二重容器１９と底部材２１及び肩部材２２により構成され、その肩部材２２上に断熱蓋２３を着脱自在に被せたものであり、断熱蓋２３の両側に取付けたバックル２４，２４により該断熱蓋２３を容器本体に対して強く締付けるようになっている。
【００２３】
図６は第４の実施形態である。この場合の蓋３は、蓋下部材３ａに対して蓋上部材３ｂをその外周面において蓋上部材３ｂを外側にしてねじ嵌合したものである。蓋下部材３ａに前記各実施形態の場合と同様のＬ形溝６、リブ状縁部１０を形成し、容器１内面の突起５をそのＬ形溝６に嵌入係合させるようにしたものである。図７（ａ）から（ｃ）に示すように、Ｌ形溝６の横溝８の内側面８ａ、即ちリブ状縁部１０の内面にクリック用突起１２を設け、前記突起５が嵌合すき間Δｘをゼロとし、リブ状縁部１０を微小高さαだけ弾性変形させて乗り越える点も前述の各実施形態の場合と同様である。相違する点は、蓋下部材３ａから規制つば２５を外側方に突き出し、その規制つば２５と容器１の上端面との間に前記の嵌合すき間Δｘをおいて対向させた点、及び、その規制つば２５の上にパッキン溝２６を設け、そのパッキン溝２６にパッキン２７を装着した点、そのパッキン溝２６の上面が、蓋上部材３ｂの下端面と、蓋下部材３ａのねじ条２８とにより形成された点である。
【００２４】
この場合は、突起５の成形による倒れβが生じたときは、図６（ｃ）に示すように、規制つば２５が弾性変形して吸収する。リブ状縁部１０はαだけ弾性変形するだけでよいので、従来どおりの構成、即ち特別な弾性付与手段を必要としない。なお、パッキン２７は蓋下部材３ａと蓋上部材３ｂのねじ嵌合部から内部に水が浸入することを防止する。
【００２５】
【発明の効果】
以上のように、この発明は、容器と蓋との嵌合面においてバヨネット嵌合構造を構成する係合突起に成形による倒れが生じても、Ｌ形溝を形成するリブ状縁部の弾性変形によりその倒れ分を吸収するため、前記係合突起がクリック用突起をスムーズに乗り越えることができ、使用者に負担をかけることがない。
【図面の簡単な説明】
【図１】第１実施形態の分解斜視図
【図２】（ａ）同上の嵌合部分の正面図
（ｂ）から（ｄ）同上の嵌合部分の断面図
【図３】（ａ）第２実施形態の嵌合部分の一部斜視図
（ｂ）（ａ）図の部分の正面図
（ｃ）（ａ）図の部分の平面図
（ｄ）同上の嵌合部分の断面図
【図４】（ａ）第３実施形態の嵌合部分の一部斜視図
（ｂ）（ａ）図の部分の正面図
（ｃ）同上の嵌合部分の断面図
【図５】食品保温容器の断面図
【図６】第４実施形態の断面図
【図７】（ａ）第４実施形態の嵌合部分の正面図
（ｂ）から（ｃ）同上の嵌合部分の断面図
【図８】従来例の容器と蓋との嵌合構造を示す分解斜視図
【図９】
（ａ）従来例の嵌合部分の正面図
（ｂ）から（ｄ）同上の嵌合部分の断面図
【符号の説明】
１  容器
２  容器側嵌合面
３  蓋
３ａ  蓋下部材
３ｂ  蓋上部材
４  蓋側嵌合面
５  係合突起
６  Ｌ形溝
７  縦溝
８  横溝
８ａ  内側面
９  屈曲部分
１０  リブ状縁部
１１  段差部
１２  クリック用突起
１３  分離溝
１４  立上がり面
１５  貫通部
１６  表面
１７  凹部
１８  飯器
１９  真空二重容器
２１  底部材
２２  肩部材
２３  断熱蓋
２４  バックル
２５  規制つば
２６  パッキン溝
２７  パッキン
２８  ねじ条
【図１】
2004307011.tif 000003
【図２】
2004307011.tif 000004
【図３】
2004307011.tif 000005
【図４】
2004307011.tif 000006
【図５】
2004307011.tif 000007
【図６】
2004307011.tif 000008
【図７】
2004307011.tif 000009
【図８】
2004307011.tif 000010
【図９】
2004307011.tif 000011